(57)【要約】【課題】会員識別情報を記録した会員用記録媒体が発行されない仮会員と正規な会員を併用する場合に、仮会員の仮登録に起因して会員登録が阻害される状況を防止することを課題とする。【解決手段】会員管理システム３では、会員に発行される会員カードに対応付けられた会員ＩＤを「対応付け済み会員ＩＤ」として管理するとともに、会員カードに対応付けられていない会員ＩＤを「未対応付け会員ＩＤ」として管理しておき、これらの会員ＩＤのうち「未対応付け会員ＩＤ」を仮会員となる遊技客に割付けるように構成することで、仮会員には会員カードに対応付けられていない会員ＩＤを割付けることができるようにしている。【選択図】        図２
2008206697.tif 000002
【特許請求の範囲】
【請求項１】
遊技客の個人情報を用いて遊技店に会員登録された会員と、遊技客の携帯端末を用いて遊技店に仮登録された仮会員との会員情報を管理装置で管理する会員管理システムであって、
前記管理装置は、
前記会員に付与された会員識別情報を付与済み識別情報として管理する管理手段と、
前記管理手段によって管理された前記付与済み識別情報以外の会員識別情報を前記仮会員となる遊技客に割付ける割付け手段と
を備えたことを特徴とする会員管理システム。
【請求項２】
前記管理手段は、会員に付与されていない会員識別情報を未付与識別情報としてさらに管理するものであって、
前記割付け手段は、前記管理手段によって管理された前記未付与識別情報を前記仮会員となる遊技客に割付けることを特徴とする請求項１に記載の会員管理システム。
【請求項３】
前記割付け手段は、前記遊技客の携帯端末に内蔵されるＩＣチップから取得したＩＣチップ識別情報を前記仮会員となる遊技客に割付けることを特徴とする請求項１に記載の会員管理システム。
【請求項４】
前記遊技客の携帯端末に内蔵されるＩＣチップから取得したＩＣチップ識別情報を用いて前記会員登録もしくは前記仮登録が既に行われているか否かを判定する既登録判定手段をさらに備え、
前記割付け手段は、前記既登録判定手段によって前記ＩＣチップ識別情報を用いて前記会員登録もしくは前記仮登録が未だ行われていないと判定された場合に、当該ＩＣチップ識別情報を前記仮会員となる遊技客に割付けることを特徴とする請求項３に記載の会員管理システム。
【請求項５】
遊技客の個人情報を用いて遊技店に会員登録された会員と、遊技客の携帯端末を用いて遊技店に仮登録された仮会員との会員情報を管理装置で管理する会員管理方法であって、
前記管理装置が、
前記会員に付与された会員識別情報を付与済み識別情報として管理する管理工程と、
前記管理工程によって管理された前記付与済み識別情報以外の会員識別情報を前記仮会員となる遊技客に割付ける割付け工程と
を含んだことを特徴とする会員管理方法。
【発明の詳細な説明】
【技術分野】
【０００１】
本発明は、遊技客の個人情報を用いて遊技店に会員登録された会員と、遊技客の携帯端末を用いて遊技店に仮登録された仮会員との会員情報を管理装置で管理する会員管理システム及び会員管理方法に関する。
【背景技術】
【０００２】
従来、パチンコ遊技やパチスロ遊技を提供するパチンコ店等の遊技店では、該遊技店の会員を遊技客から募り、会員登録を希望した会員に対して会員カードを発行するとともに、この会員カードを利用した貯玉・貯メダルサービスやメールによる情報通知サービス等を行っている。
【０００３】
具体的には、遊技客が、住所、氏名及び電話番号等の個人情報を記入した会員申込用紙を遊技店の係員に渡して会員登録を要求すると、遊技店の係員は、この遊技客の個人情報を管理装置に登録するとともに、会員を特定するためのユニークな識別情報（会員ＩＤ）が記録された会員用記録媒体（会員カード）を会員に発行する。このようにして会員カードを取得した各会員は、特許文献１等に記載されるように、獲得したパチンコ玉やメダルを貯玉・貯メダルするとともに、この貯玉・貯メダルを後日再プレイしたり、景品に交換することができる。
【０００４】
このように、会員サービスを提供する遊技店には、各会員の貯玉・貯メダルを管理装置で管理するとともに、玉貸し機やメダル貸し機等の台間機で貯玉・貯メダルを再プレイ可能にする貯玉・貯メダルシステムが導入されることが多い。
【０００５】
ここで、遊技店においては、会員カードに記録された会員ＩＤを用いて会員個々の貯玉口座を特定して貯玉サービス及びその再プレイサービスを提供しているが、このように会員カードに会員ＩＤを記録させ、会員カードと会員ＩＤとを一対一に対応付ける作業は、遊技客に会員カードを発行する前に行われており、遊技客が会員登録を行う際にはすでに会員ＩＤとの対応付けが行われた会員カードを発行している。このように、会員カードと会員ＩＤとの対応付けを事前に行うのは、あらかじめ会員ＩＤを会員カードに対応付けて準備しておかないと、この対応付け作業を会員登録時に行わなくてはならなくなり、会員登録に余計な時間と労力がかかってしまうからである。
【０００６】
【特許文献１】特開２００３−２１０８１８号公報
【発明の開示】
【発明が解決しようとする課題】
【０００７】
しかしながら、各遊技客が会員登録するためには、自己の個人情報を遊技店に開示する必要があるので、個人情報の漏洩を好まない遊技客は会員登録を行わない、また、遊技客が会員加入を希望する場合であっても、会員申込用紙を記入して会員登録されるまでに長時間を要する。このため最近では、一時的に会員と同様のサービスを受けることができる仮会員（携帯電話識別情報並びにフリーキーワードや生年月日からなる属性情報を指定して即登録を行う一時会員）を採用する仕組みが考えられつつある。
【０００８】
ところが、かかる仮会員の仕組みを採用した場合に、会員カードが発行されない仮会員についても正規な会員と同様に会員情報が未登録である会員ＩＤを画一的に割り付けたのでは、既に会員カードとの対応付けが行われた会員ＩＤが仮会員に付与され、本来であれば会員に対して付与するべき会員ＩＤが仮会員に対して付与されるおそれがある。さらに、仮会員の仮登録は、簡易な登録操作で成し得ることから多くの仮会員の加入を見込むことができる反面で、既に会員カードとの対応付けが行われた会員ＩＤを仮会員に付与してしまうケースも増大させてしまう。
【０００９】
これにより、会員に対して付与するべき会員ＩＤが不足する事態が生じれば、遊技店にとって最も歓迎されるべき会員登録が仮登録を行うがために阻害されることになり、本末転倒になりかねない。
【００１０】
このことから、会員識別情報を記録した会員用記録媒体が発行されない仮会員と正規な会員を併用する場合に、仮会員の仮登録に起因して会員登録が阻害される状況をいかにして防止するかが極めて重要な課題となる。
【００１１】
そこで、本発明は、上述した従来技術による課題（問題点）を解消するためになされたものであり、会員識別情報を記録した会員用記録媒体が発行されない仮会員と正規な会員を併用する場合に、仮会員の仮登録に起因して会員登録が阻害される状況を防止することができる会員管理システム及び会員管理方法を提供することを目的とする。
【課題を解決するための手段】
【００１２】
上述した課題を解決し、目的を達成するために、本発明は、遊技客の個人情報を用いて遊技店に会員登録された会員と、遊技客の携帯端末を用いて遊技店に仮登録された仮会員との会員情報を管理装置で管理する会員管理システムであって、前記管理装置は、前記会員に付与された会員識別情報を付与済み識別情報として管理する管理手段と、前記管理手段によって管理された前記付与済み識別情報以外の会員識別情報を前記仮会員となる遊技客に割付ける割付け手段とを備えたことを特徴とする。
【００１３】
また、本発明は、上記発明において、前記管理手段は、会員に付与されていない会員識別情報を未付与識別情報としてさらに管理するものであって、前記割付け手段は、前記管理手段によって管理された前記未付与識別情報を前記仮会員となる遊技客に割付けることを特徴とする。
【００１４】
また、本発明は、上記発明において、前記割付け手段は、前記遊技客の携帯端末に内蔵されるＩＣチップから取得したＩＣチップ識別情報を前記仮会員となる遊技客に割付けることを特徴とする。
【００１５】
また、本発明は、上記発明において、前記遊技客の携帯端末に内蔵されるＩＣチップから取得したＩＣチップ識別情報を用いて前記会員登録もしくは前記仮登録が既に行われているか否かを判定する既登録判定手段をさらに備え、前記割付け手段は、前記既登録判定手段によって前記ＩＣチップ識別情報を用いて前記会員登録もしくは前記仮登録が未だ行われていないと判定された場合に、当該ＩＣチップ識別情報を前記仮会員となる遊技客に割付けることを特徴とする。
【００１６】
また、本発明は、遊技客の個人情報を用いて遊技店に会員登録された会員と、遊技客の携帯端末を用いて遊技店に仮登録された仮会員との会員情報を管理装置で管理する会員管理方法であって、前記管理装置が、前記会員に付与された会員識別情報を付与済み識別情報として管理する管理工程と、前記管理工程によって管理された前記付与済み識別情報以外の会員識別情報を前記仮会員となる遊技客に割付ける割付け工程とを含んだことを特徴とする。
【発明の効果】
【００１７】
本発明によれば、管理装置が、会員に付与された会員識別情報を付与済み識別情報として管理しておき、付与済み識別情報以外の会員識別情報を仮会員となる遊技客に割付けるように構成したので、仮会員には会員用記録媒体に対応付けられていない会員識別情報を割付けることができ、仮会員の仮登録に起因して会員登録が阻害される状況を防止することが可能な会員管理システム及び会員管理方法が得られるという効果を奏する。
【００１８】
また、本発明によれば、会員に付与されていない会員識別情報を未付与識別情報としてさらに管理しておき、未付与識別情報を仮会員となる遊技客に割付けるように構成したので、仮会員に割付ける会員識別情報を仮登録時に採番する必要を無くすとともに、仮会員に対する会員識別情報の割付け形態（例えば、昇順割付け、降順割付けや離散的な割付け）を自在に選択可能とすることができ、仮会員に対する会員識別情報の割付けを効率的に行うことが可能な会員管理システムが得られるという効果を奏する。
【００１９】
また、本発明によれば、遊技客の携帯端末に内蔵されるＩＣチップから取得したＩＣチップ識別情報を仮会員となる遊技客に割付けるように構成したので、仮会員と会員の間で異なる体系の識別子を割付けることができ、既に会員用記録媒体との対応付けが行われた会員識別情報が仮会員に付与される事態を完全に予防することが可能な会員管理システムが得られるという効果を奏する。
【００２０】
また、本発明によれば、遊技客の携帯端末に内蔵されるＩＣチップから取得したＩＣチップ識別情報を用いて会員登録もしくは仮登録が未だ行われていないと判定した場合に、当該ＩＣチップ識別情報を仮会員となる遊技客に割付けるように構成したので、同一のＩＣチップ識別情報を持つ仮会員同士の重複登録ならびに同一のＩＣチップ識別情報を持つ仮会員と会員の重複登録を防止するとともに、既登録の仮会員又は会員に対する会員サービスを円滑に提供することが可能な会員管理システムが得られるという効果を奏する。
【発明を実施するための最良の形態】
【００２１】
以下に添付図面を参照して、本発明に係る会員管理システム（貯玉管理システム）及びその会員管理方法の好適な実施例を詳細に説明する。なお、以下では、本発明をパチンコ遊技に適用する場合について説明することとする。
【実施例１】
【００２２】
まず、本実施例１に係る会員管理システムのシステム構成について説明する。図１は、実施例１に係る会員管理システムのシステム構成を示す図である。この会員管理システムは、パチンコ店等の遊技店に登録された会員に対して主として貯玉・再プレイサービスを提供するものである。
【００２３】
同図に示すように、遊技店内には、遊技店にて予め登録処理された遊技客の会員情報を管理する会員管理用ターミナルコントローラ（以下、「会員管理Ｔ／Ｃ」と言う）１０と、島コントローラ２０と、カード処理ユニット（以下、「ＣＲユニット」と言う）３０と、パチンコ機４０と、計数機５０と、景品管理装置６０と、景品払出機６５と、会員カード処理機７０と、会員登録受付端末９０とが設けられている。
【００２４】
会員管理Ｔ／Ｃ１０には、会員登録受付端末９０、景品管理装置６０、会員カード処理機７０及び島コントローラ２０が接続されており、島コントローラ２０には、各島に設置された複数のパチンコ機４０にそれぞれに併設されたＣＲユニット３０が接続されており、会員カード処理機７０には、パチンコ玉数を計数する計数機５０が接続されている。
【００２５】
パチンコ機４０は、パチンコ玉を遊技領域に発射して遊技者がパチンコ遊技を行う装置であり、本実施例では、プリペイドカード対応のいわゆるＣＲパチンコ機であるものとしている。
【００２６】
ＣＲユニット３０は、各プリペイドカードの残度数等を管理する図示しないプリペイドカード管理装置と各パチンコ機４０との間に介在し、プリペイドカード管理装置に対してプリペイドカードの残度数の問い合わせや玉貸し要求を行うとともに、残度数がある場合にパチンコ機４０に対して玉貸し指示を行う装置である。なお、本実施例では、プリペイドカードに係る処理にその特徴はないため、以下ではプリペイドカードに関する説明を省略する。
【００２７】
また、このＣＲユニット３０は、会員カードを受け入れて会員管理Ｔ／Ｃ１０に預け入れられた貯玉を引き落とすいわゆる再プレイの機能を有する。具体的には、会員がＣＲユニット３０に会員カードを挿入するか又は仮会員がＣＲユニット３０に登録された携帯電話機８０をかざして再プレイ操作を行うと、会員管理Ｔ／Ｃ１０が管理する貯玉残高から再プレイ分の玉数を減算するとともに、パチンコ機４０に対して玉投出指示を行う。このように、かかるＣＲユニット３０は、携帯電話機８０を用いた再プレイにも対応している。
【００２８】
計数機５０は、遊技客が獲得したパチンコ玉を計数する計数機であり、その計数結果を会員カード処理機７０に出力する。なお、本実施例１では、計数機５０はパチンコ玉の計数機能のみを有することとし、計数結果がバーコード印字された計数レシートを発行する印字機能、並びに、会員管理Ｔ／Ｃ１０にて記憶管理される貯玉残高に計数結果の一部または全部を貯玉加算させる計数貯玉機能は、後述する会員カード処理機７０が有することとする。
【００２９】
景品管理装置６０は、遊技店内に設けられる景品交換カウンタに配設された販売時点情報管理端末（ＰＯＳ（Point of Sales）端末）と呼ばれる景品交換用の端末装置である。具体的には、景品交換カウンタ内の係員が、計数機５０から排出された獲得玉数がバーコード印字された計数レシートを遊技客から受け取ると、この計数レシートから獲得玉数をバーコードリーダで読み取るとともに、この獲得玉数分の一般景品を係員による手作業で遊技客に受け渡す。また、遊技客が特殊景品への交換を希望する場合には、係員はこの景品管理装置６０に設けられた特殊景品交換ボタンを押下し、景品払出機６５に獲得玉数分の特殊景品の払い出しを指示する。
【００３０】
また、この景品管理装置６０では、計数レシートから読み取った獲得玉数の一部又は全部を会員又は仮会員の貯玉残高に預け入れることもできる。例えば、係員が貯玉を希望する会員から計数レシート及び会員カードを受け取ったならば、この会員カードを景品管理装置６０のカードリーダに挿入して会員ＩＤを読み取った後に、貯玉操作を行って会員管理Ｔ／Ｃ１０に貯玉依頼を行う。また、係員が貯玉を希望する会員又は仮会員から計数レシートを受け取ったならば、該会員又は仮会員に対してかざし部に携帯電話機８０をかざすよう指示して、該携帯電話機８０から会員ＩＤ（正確には後述するＩＤｍ）を読み取った後に、貯玉操作を行って会員管理Ｔ／Ｃ１０に貯玉依頼を行う。なお、景品管理装置６０の貯玉関連の機能については、後述する会員カード処理機７０と同様の機能であるので、ここではその詳細な説明を省略する。
【００３１】
会員カード処理機７０は、携帯電話機８０を用いた仮会員登録や登録済み会員及び仮会員による貯玉を行う際に利用される会員用端末装置であり、会員カードに記録した会員ＩＤを読み取るカードリーダと携帯電話機８０から会員ＩＤ（正確には後述するＩＤｍ）を読み取るリーダライタ７５を備えている。本実施例１では、携帯電話機８０内のＩＣチップ８１に保持されているユニークな識別情報（例えば、ＩＣカードの製造番号である「ＩＤｍ」）を会員ＩＤと一対一に対応付けている。
【００３２】
会員登録受付端末９０は、正規な会員に加入するための会員登録を受け付ける端末装置である。例えば、会員申込用紙への記入を通じて会員登録が要求されると、遊技店の係員は、イメージスキャナによる読取操作やキーボード操作を通じて会員申込用紙に記載の個人情報をデータ入力し、該データ入力した個人情報を会員管理Ｔ／Ｃ１０に登録させるとともに、会員を特定するためのユニークな識別情報（会員ＩＤ）が記録された会員カードを会員に発行する。
【００３３】
会員管理Ｔ／Ｃ１０は、後述する会員管理テーブル１４ａを用いて遊技店に登録された会員及び仮会員の統括管理を行う管理装置である。この会員管理テーブル１４ａは、会員ＩＤ、貯玉残高、属性情報及びＩＤｍを対応付けて記憶している。そして、会員カード処理機７０又は景品管理装置６０から貯玉加算依頼を受け付けたならば該当する貯玉口座内の貯玉数を加算処理し、ＣＲユニット３０又は景品管理装置６０から貯玉減算依頼を受け付けたならば該当する貯玉口座内の貯玉数を減算処理する。
【００３４】
ここで、本実施例１に係る会員管理Ｔ／Ｃ１０は、会員に発行される会員カードに対応付けられた会員ＩＤを「対応付け済み会員ＩＤ」として管理するとともに、会員カードに対応付けられていない会員ＩＤを「未対応付け会員ＩＤ」として管理しておき、これらの会員ＩＤのうち「未対応付け会員ＩＤ」を仮会員となる遊技客に割付けるように構成した点にその特徴がある。なお、ここでは、会員に対して会員カードを必ず発行する例を説明したが、会員であっても必ずしも会員カードを発行する必要はなく、携帯電話機８０のみを利用する会員が存在してもかまわない。その場合には、かかる会員に会員カードに準じた会員ＩＤ（対応付け済み会員ＩＤ）を割り付けることになるが、会員カードは付与しないという対応が取られる。
【００３５】
これを具体的に説明すると、上記した従来の会員管理システムにおいて、仮会員の仕組みを採用する場合には、仮会員への加入を希望する遊技客の携帯電話機８０のＩＣチップ８１からＩＣチップ識別情報「ＩＤｍ」を取得するとともに、遊技店が予め採番しておいた会員ＩＤを当該遊技客に割付け、これらＩＤｍと会員ＩＤに対応付けて別途入力された属性情報を会員管理テーブル１４ａに登録するようにシステムを構成すればよく、かかる構成を採用すれば、遊技客の会員登録に係る手間（会員申込用紙を記入する労力や時間）が軽減される。
【００３６】
その反面で、会員ＩＤを記録した会員カードが発行されない仮会員と正規な会員を併用する場合には、遊技店により採番された会員ＩＤを仮会員への加入を希望する遊技客に割付ける上で問題が生じる。すなわち、仮会員への加入を希望する遊技客に対して会員情報が未登録である会員ＩＤを画一的に割付けたのでは、既に会員カードとの対応付けが行われた会員ＩＤが仮会員に付与され、本来であれば会員に対して付与するべき会員ＩＤが仮会員に対して付与されるおそれがある。
【００３７】
このため、本実施例１に係る会員管理Ｔ／Ｃ１０では、「対応付け済み会員ＩＤ」及び「未対応付け会員ＩＤ」を管理しておき、仮会員への加入を希望する遊技客には「未対応付け会員ＩＤ」を割付けるように構成することで、仮会員には会員カードに対応付けられていない会員ＩＤを割付けることができ、既に会員カードとの対応付けが行われた会員ＩＤが仮会員に付与される事態を予防し、もって仮会員の仮登録に起因して会員登録が阻害される状況を防止することが可能になる。
【００３８】
さらに、本実施例１に係る会員管理システム３によれば、会員カードとの対応付けが行われていない会員ＩＤを仮会員に割付けるので、会員カードにエンボス加工（会員カード表面に会員ＩＤを形成する凹凸を施す加工）が施された会員ＩＤを仮会員に割付けることはなく、上記した従来技術のように、会員カードとの対応付けが行われた会員ＩＤを仮会員に割付けるケースを看過し、その会員ＩＤのエンボス加工が施された会員カードを廃棄せざるを得ない事態も予防することができる。
【００３９】
また、本実施例１に係る会員管理システム３によれば、既存の技術で携帯電話機が利用される時のように個々の遊技客を電話番号で特定するのではなく、携帯電話機８０のＩＣチップ識別情報「ＩＤｍ」を用いて個々の遊技客を一意に特定するので、携帯電話機８０のメモリに記憶される電話番号をＩＣチップ８１を介して会員カード処理機７０に伝達するために専用のアプリをダウンロードする操作など煩雑な操作手続を行わずとも極めて簡易な操作（携帯電話機８０のかざし操作）を行うだけで会員登録でき、会員登録を手軽に行うことができるとともに、携帯電話機８０の通信機能に依存せず、携帯電話機８０内のＩＣチップ８１とリーダライタ７５とが元来有する通信機能を利用して通信を行うので通信費用も必要なくなる。
【００４０】
なお、本実施例では、携帯電話機８０に内蔵されるＩＣチップ８１に記憶されるＩＤｍを用いて仮会員登録を行う場合について説明したが、本発明はこれに限定されるものではなく、簡単な属性情報を用いて簡易に仮会員登録する様々な場合にも同様に適用される。
【００４１】
次に、図１に示した会員管理Ｔ／Ｃ１０及び会員カード処理機７０の構成について説明する。図２は、図１に示した会員管理Ｔ／Ｃ１０及び会員カード処理機７０の構成を示す機能ブロック図である。
【００４２】
同図に示すように、会員カード処理機７０は、会員が所持する会員カード又は携帯電話機８０を通じて貯玉サービスを提供するマンマシンインターフェースであり、タッチパネル７１と、ＩＦ部７２と、カードリーダ７３と、プリンタ７４と、リーダライタ７５と、記憶部７６と、制御部７７とを有する。
【００４３】
タッチパネル７１は、液晶パネルやディスプレイなどの表示デバイス上で操作入力を受け付けることができる表示可能かつ入力可能なデバイスであり、具体的には、遊技客が携帯電話機８０を用いた仮会員登録を行う場合には、遊技客の簡易属性情報（電話番号、生年月日及びフリーキーワード）の入力を促す表示を行うとともに、これらの情報を入力させるためのテンキーボタンや英字ボタンなどを表示する。
【００４４】
ＩＦ部７２は、会員管理Ｔ／Ｃ１０、計数機５０又は景品管理装置６０との間で各種通信を行うためのインターフェースである。カードリーダ７３は、会員カードに記憶された会員ＩＤを読み取るためのカードリーダである。なお、本実施例１では、磁気等で情報が記録された会員カードからデータを読み取る際にカードリーダ７３を用いることとしたが、かかる会員カードを非接触ＩＣカードとした場合には、会員カード及び携帯電話機８０とのデータ授受をともにリーダライタ７５を介して行うことができる。
【００４５】
プリンタ７４は、印刷データをレシートに印字処理する印字装置であり、仮会員登録が行われると、記憶部７６に記憶される印字内容情報７６ａを参照して仮会員登録レシート（図３参照）を発行する。この仮会員登録レシートには、登録日時、会員ＩＤ、仮会員規約などの情報が印字される。なお、かかる仮会員登録レシートを発行する理由は、仮会員が携帯電話機８０を紛失又は機種変更する際に、正確な本人であることを証明可能とするためである。
【００４６】
リーダライタ７５は、携帯電話機８０に内蔵されたＩＣチップ８１との間でデータ通信を行う装置であり、具体的には、携帯電話機８０内のＩＣチップ８１に組み込まれたアンテナコイルに弱電波を送信すると、ＩＣチップ８１ではアンテナコイルにより発電が行われてデータ通信が可能となり、これによりＩＣチップ識別情報「ＩＤｍ」を取得する。
【００４７】
記憶部７６は、制御部７７による各種処理に必要なデータおよびプログラムを記憶する不揮発性メモリ等の記憶デバイスであり、併せて、仮会員登録レシート等に印字するフォーマット及びその印字内容を印字内容情報７６ａとして記憶する。
【００４８】
制御部７７は、会員カード処理機７０の全体制御を行う制御部であり、仮会員登録依頼処理部７７ｂ及び貯玉更新依頼部７７ｃを有する。
【００４９】
このうち、仮会員登録依頼処理部７７ａは、リーダライタ７５により読み取られた携帯電話機８０のＩＤｍを会員管理Ｔ／Ｃ１０に送信して、携帯電話機８０を用いた遊技客の仮会員登録を依頼する処理部である。具体的には、まず上記ＩＤｍを会員管理Ｔ／Ｃ１０に送信して該ＩＤｍが未登録であるか否かを問合せ、会員管理Ｔ／Ｃ１０から当該ＩＤｍが未登録であると応答された場合に、タッチパネル７１を通じて遊技客の簡易属性情報（電話番号、生年月日及びフリーキーワード）の入力を受け付け、このＩＤｍ及び簡易属性情報を送信して仮会員登録を依頼する。なお、本実施例１では、携帯電話機８０の紛失時または機種変更時に仮会員の本人確認を行うための必要最小限の属性情報、すなわち電話番号、生年月日及びフリーキーワードなどの簡易な個人情報を「簡易属性情報」と呼称する。
【００５０】
貯玉更新依頼部７７ｂは、会員管理テーブル１４ａにて管理される貯玉残高の更新処理を依頼する処理部である。具体的には、仮会員登録依頼処理部７７ａによってＩＤｍの登録済みが確認され、かつ、計数機５０から計数結果を受信した場合に、計数結果である玉数により貯玉数を更新するよう会員管理Ｔ／Ｃ１０に依頼する。なお、ここでは計数結果を全数貯玉する場合を示したが、計数結果の一部のみを貯玉し残りをレシート発行することもできる。
【００５１】
次に、図１に示した会員管理Ｔ／Ｃ１０の構成について説明する。図２に示すように、この会員管理Ｔ／Ｃ１０は、入力部１１と、出力部１２と、ＩＦ部１３と、記憶部１４と、制御部１５とを有する。
【００５２】
入力部１１は、キーボードやマウス等の入力デバイスであり、出力部１２は、液晶パネルやディスプレイ等の表示デバイスであり、また、ＩＦ部１３は、島コントローラ２０、ＣＲユニット３０、計数機５０、景品管理装置６０、会員カード処理機７０及び会員登録受付端末９０との間でデータ通信を行うためのインターフェースである。
【００５３】
記憶部１４は、ハードディスク装置や不揮発性メモリ等の記憶デバイスであり、会員申込用紙への記入を通じて一定の個人情報が登録された会員及び仮会員登録を通じてＩＤｍ及び簡易属性情報のみが登録された仮会員を管理する会員管理テーブル１４ａを記憶する。なお、本実施例１では、遊技店が本会員登録を行う際に開示必須項目と規定する属性情報、すなわち氏名、住所、電話番号及びメールアドレスなどの詳細な個人情報ならびに上記した簡易属性情報含めて「詳細属性情報」と呼称する。
【００５４】
会員管理テーブル１４ａは、既存のものと同様に、会員ＩＤごとにＩＤｍ、貯玉残高、属性情報などの会員情報を記憶したテーブルであるが、本実施例１では、対応付け済み会員ＩＤ及び未対応付け会員ＩＤそれぞれを「会員用の会員ＩＤ」及び「仮会員用の会員ＩＤ」として別領域に記憶している。具体的には、図４−１及び図４−２に示すように、会員エリア２００にて会員カードに対応付けられた会員用の会員ＩＤを記憶し、また、仮会員エリア３００にて会員カードに対応付けられていない仮会員用の会員ＩＤを記憶している。なお、前述したように、会員用の会員ＩＤには詳細属性情報が対応付けて記憶され、仮会員用の会員ＩＤには簡易属性情報が対応付けて記憶されることになる。
【００５５】
このように、「対応付け済み会員ＩＤ」及び「未対応付け会員ＩＤ」を区別して記憶した理由は、仮会員への加入を希望する遊技客に会員ＩＤを割付ける際に、会員ＩＤに会員情報が登録されているか否か、すなわち「空き番」である否かだけで割付ける会員ＩＤを特定するのではなく、会員カードに対応付けられているか否かによって割付ける会員ＩＤを特定するためである。
【００５６】
なお、本実施例１では、「対応付け済み会員ＩＤ」及び「未対応付け会員ＩＤ」をそれぞれ別領域に記憶する例を説明したが、本発明はこれに限定されるものではなく、両者が区別可能なように記憶されていればよい。例えば、会員カードに対応付け済みであるか否かを表すフラグを追加したり、また、両者を別のテーブルで記憶するようにしてもかまわない。また、本実施例１で言う「対応付け済み会員ＩＤ」及び「未対応付け会員ＩＤ」は、特許請求の範囲における「付与済み識別情報」及び「未付与識別情報」にそれぞれ対応している。
【００５７】
また、本実施例１では、未対応付け会員ＩＤを「仮会員用の会員ＩＤ」としているが、会員に対して未対応付け会員ＩＤを割付けるようにしてもかまわない。例えば、会員管理テーブル１４ａに詳細属性情報が登録されていれば、会員カードを発行せずに携帯電話機８０だけを会員カードの代わりに利用させる会員を認めてもよく、このような場合には、対応付け済み会員ＩＤではなく、未対応付け会員ＩＤを割付けることもできる。
【００５８】
制御部１５は、会員管理Ｔ／Ｃ１０を全体制御する制御部であり、貯玉管理部１５ａと、仮会員登録処理部１５ｂと、会員登録処理部１５ｃを有する。実際には、これらの機能部に対応するプログラムを図示しないＲＯＭや不揮発性メモリに記憶しておき、これらのプログラムをＣＰＵにロードして実行し、貯玉管理部１５ａ、仮会員登録処理部１５ｂ及び会員登録処理部１５ｃにそれぞれ対応するプロセスを実行させることになる。
【００５９】
貯玉管理部１５ａは、会員管理テーブル１４ａを利用して会員及び仮会員の貯玉残高を管理する管理部である。具体的には、貯玉更新依頼部７７ｂから会員ＩＤを含む貯玉更新依頼を受け付けた場合に、会員管理テーブル１４ａに記憶される該当会員ＩＤの貯玉残高に対して更新依頼玉数分の加算処理または減算処理を行う。なお、当然のことながら、貯玉減算処理を行う際に貯玉残高が足りない場合には、貯玉更新依頼部７７ｂにエラー信号が返信される。
【００６０】
仮会員登録処理部１５ｂは、仮会員登録依頼処理部７７ａからの仮会員登録依頼に応答して仮会員登録を行う処理部である。具体的には、同一のＩＣチップ識別情報を持つ仮会員同士の重複登録ならびに同一のＩＣチップ識別情報を持つ仮会員と会員の重複登録を防止するとともに、既登録の仮会員又は会員の貯玉更新処理を円滑に行うために、仮会員登録依頼処理部７７ａからＩＤｍを受け付けると、会員管理テーブル１４ａの会員エリア２００及び仮会員エリア３００を検索して同一のＩＤｍが登録されているか否かを確認する。そして、当該ＩＤｍが登録されていない場合には、会員管理テーブル１４ａの仮会員エリア３００に登録されている会員ＩＤ（仮会員用の会員ＩＤ）であり、かつ空き番である会員ＩＤを仮会員となる遊技客に割付け、該割付けた仮会員用の会員ＩＤに対応付けてＩＤｍ及び簡易属性情報を会員管理テーブル１４ａに登録する。
【００６１】
会員登録処理部１５ｃは、会員登録受付端末９０からの会員登録依頼に応答して会員登録を行う処理部である。具体的には、同一のＩＣチップ識別情報を持つ本会員同士の重複登録を防止するために、会員登録受付端末９０からＩＤｍを受け付けると、会員管理テーブル１４ａの会員エリア２００を検索して同一のＩＤｍが登録されているか否かを確認する。そして、当該ＩＤｍが登録されていない場合には、会員管理テーブル１４ａの会員エリア２００に登録されている会員ＩＤ（会員用の会員ＩＤ）であり、かつ空き番である会員ＩＤを会員となる遊技客に割付けるが、仮会員から会員への格上げ登録である場合には、仮会員時に獲得された貯玉残高及びＩＤｍを引き継ぐために、仮会員用の会員ＩＤに対応付けられた会員情報を会員用の会員ＩＤに複写登録してから詳細属性情報を追加登録する。
【００６２】
例えば、図４−２に示した会員管理テーブル１４ａの例によれば、図４−１に示した仮会員用の会員ＩＤ「Ｚ０００３」の仮会員が会員に格上げ登録されており、仮会員時に獲得した貯玉残高「４００」が会員用の会員ＩＤ「００００４」に引き継がれた上で詳細属性情報が追加された会員登録が行われている。なお、本例では、仮会員用の会員ＩＤ「Ｚ０００３」に対応付けられた会員情報を削除していないが、会員情報を削除するようにしてもかまわない。
【００６３】
ここで、本実施例１では、仮会員から会員への格上げ登録が行われた場合でも、格上げ登録がなされる前の仮会員用の会員ＩＤを新たな仮会員に割付けないように仮会員登録処理部１５ｂを構成している。その理由は、仮会員から会員に格上げ登録をした遊技客の履歴を残しておくことで、仮会員から会員に移行した人数を集計・分析するためであり、さらには、仮会員から会員への移行率や全会員の中で格上げ登録が占める比率などをもとにして仮会員の仕組みを採用した場合の成否を分析することを可能ならしめるためである。
【００６４】
次に、図１に示した会員カード処理機７０による仮会員登録依頼処理手順について説明する。図５は、図１に示した会員カード処理機７０による仮会員登録依頼処理手順を示すフローチャートである。
【００６５】
同図に示すように、当初会員カード処理機７０は、携帯電話機８０のかざし操作待ちの状態にあり（ステップＳ１０１否定）、遊技客により携帯電話機８０が会員カード処理機７０にかざし操作されると（ステップＳ１０１肯定）、仮会員登録依頼処理部７７ｂは、携帯電話機８０に内蔵されるＩＣチップ８１からＩＤｍをリーダライタ７５を介して取得し（ステップＳ１０２）、取得したＩＤｍを会員管理Ｔ／Ｃ１０に送信して問合せを行う（ステップＳ１０３）。
【００６６】
このＩＤｍの問合せを受け付けた会員管理Ｔ／Ｃ１０は、仮会員登録処理部１５ｂにより会員管理テーブル１４ａの会員エリア２００及び仮会員エリア３００を検索して、同一のＩＤｍが登録されているか否かを確認し、その結果を仮会員登録依頼処理部７７ｂに返信する。
【００６７】
そして、このＩＤｍが未登録であると応答された場合には（ステップＳ１０４肯定）、仮会員登録依頼処理部７７ｂは、タッチパネル７１を通じて遊技客の簡易属性情報（電話番号、生年月日及びフリーキーワード）の入力を受け付け（ステップＳ１０５）、当該ＩＤｍ及び簡易属性情報を会員管理Ｔ／Ｃ１０に送信して仮会員登録を依頼するとともに（ステップＳ１０６）、記憶部７６に記憶される印字内容情報７６ａを参照して仮会員登録レシート（図３参照）を発行する（ステップＳ１０７）。なお、この仮会員登録依頼を受け付けた仮会員登録処理部１５ｂは、会員管理テーブル１４ａの仮会員エリア３００に登録されている会員ＩＤ（仮会員用の会員ＩＤ）であり、かつ空き番である会員ＩＤを仮会員となる遊技客に割付け、該割付けた仮会員用の会員ＩＤに対応付けてＩＤｍ及び簡易属性情報を会員管理テーブル１４ａに登録する。
【００６８】
これに対して、このＩＤｍが登録済みであると応答された場合には（ステップＳ１０４否定）、計数機５０から計数結果を受信した後に（ステップＳ１０８肯定）、この計数結果とＩＤｍを会員管理Ｔ／Ｃ１０に返信して貯玉加算依頼を行い（ステップＳ１０９）、処理を終了する。この貯玉加算依頼を受け付けた会員管理Ｔ／Ｃ１０は、会員管理テーブル１４ａ内の貯玉残高を加算処理する。
【００６９】
次に、上記ステップＳ１０９に示した仮会員による貯玉更新処理について詳細に説明する。図６は、図５のステップＳ１０９に示した仮会員による貯玉更新処理を説明するための説明図である。
【００７０】
同図に示すように、遊技客により獲得されたパチンコ玉が計数機５０に投入されると（ステップＳ２０１）、計数機５０は投入されたパチンコ玉を計数し（ステップＳ２０２）、その計数結果を会員カード処理機７０に通知する（ステップＳ２０３）。ここで、会員カード処理機７０にて上記ステップＳ１０１〜ステップＳ１０４の処理が行われていれば、即座に貯玉加算操作に移行できるが、携帯電話機８０のかざし操作は、計数前、計数中又は計数後のいずれのタイミングで行われても計数貯玉を行うことができる。
【００７１】
そして、会員カード処理機７０は、計数機５０から計数結果が通知され、かつ携帯電話機８０のＩＤｍに対応する会員ＩＤを取得したならば（ステップＳ２０３終了かつステップＳ１０４終了）、会員カード処理機７０の貯玉更新依頼部７７ｂは、タッチパネル７１に貯玉ボタンを表示させて貯玉加算操作を受け付け（ステップＳ２０４）、計数結果の玉数分の貯玉加算依頼を会員管理Ｔ／Ｃ１０に対して行う（ステップＳ２０５）。その後、この貯玉加算依頼を受け付けた会員管理Ｔ／Ｃ１０は、会員管理テーブル１４ａ内の該当会員ＩＤの貯玉残高を加算更新し（ステップＳ２０６）、処理を終了する。
【００７２】
次に、図１に示した会員管理Ｔ／Ｃ１０及び会員登録受付端末９０による会員登録処理手順について説明する。図７は、実施例１に係る会員登録処理に関する会員管理Ｔ／Ｃ１０及び会員登録受付端末９０間の制御シーケンスを示す図である。
【００７３】
同図に示すように、遊技客により携帯電話機８０が会員登録受付端末９０にかざし操作されると（ステップＳ３０１）、会員登録受付端末９０は、携帯電話機８０に内蔵されるＩＣチップ８１からＩＤｍをリーダライタを介して取得し（ステップＳ３０２）、取得したＩＤｍを会員管理Ｔ／Ｃ１０に送信して問合せを行う（ステップＳ３０３）。
【００７４】
このＩＤｍの問合せを受け付けた会員管理Ｔ／Ｃ１０は、会員登録処理部１５ｃにより会員管理テーブル１４ａの会員エリア２００を検索し（ステップＳ３０４）、同一のＩＤｍが会員エリア２００に登録されているか否かを確認し、その結果を会員登録受付端末９０に返信する（ステップＳ３０５）。
【００７５】
このとき、このＩＤｍが会員エリア２００に登録済みであると応答された場合には（ステップＳ３０６否定）、会員登録受付端末９０は、既に会員登録されている旨を表示部に報知し（ステップＳ３０７）、処理を終了する。
【００７６】
これに対して、このＩＤｍが会員エリア２００に未登録であると応答された場合には（ステップＳ３０６肯定）、会員登録受付端末９０は、遊技店の係員が行うイメージスキャナによる読取操作やキーボード操作を通じて会員申込用紙に記載の詳細属性情報のデータ入力を受け付け（ステップＳ３０８）、当該ＩＤｍ及び詳細属性情報を会員管理Ｔ／Ｃ１０に送信して会員登録を依頼する（ステップＳ３０９）。
【００７７】
この会員登録依頼を受け付けた会員登録処理部１５ｃは、会員管理テーブル１４ａの会員エリア２００に登録されている会員ＩＤ（会員用の会員ＩＤ）であり、かつ空き番である会員ＩＤを会員となる遊技客に割付け（ステップＳ３１０）、当該会員登録が仮会員から会員への格上げ登録であるか否かを判定する（ステップＳ３１１）。
【００７８】
ここで、仮会員から会員への格上げ登録である場合（ステップＳ３１１肯定）には、会員登録処理部１５ｃは、仮会員時に獲得された貯玉残高及びＩＤｍを引き継ぐために、仮会員用の会員ＩＤに対応付けられた会員情報を会員用の会員ＩＤに複写登録した後に（ステップＳ３１２）、該会員用の会員ＩＤに詳細属性情報を追加登録し（ステップＳ３１３）、また、非会員から会員への会員登録である場合（ステップＳ３１１否定）には、会員用の会員ＩＤに対応付けてＩＤｍ及び詳細属性情報を登録し（ステップＳ３１３）、会員登録が正常に完了した旨を会員登録受付端末９０に通知する（ステップＳ３１４）。
【００７９】
この会員登録完了通知を受け付けた会員登録受付端末９０では、会員登録が正常に完了した旨及びその登録内容を表示部に表示する報知を行い（ステップＳ３１５）、処理を完了する。なお、これを確認した遊技店の係員によって当該会員用の会員ＩＤが記録された会員カードが新会員に手渡されることになる。
【００８０】
上述してきたように、本実施例１に係る会員管理システム３によれば、会員カードに対応付けられた会員ＩＤを「対応付け済み会員ＩＤ」として管理するとともに、会員カードに対応付けられていない会員ＩＤを「未対応付け会員ＩＤ」として管理しておき、これらの会員ＩＤのうち「未対応付け会員ＩＤ」を仮会員となる遊技客に割付けるように構成したので、既に会員カードとの対応付けが行われた会員ＩＤが仮会員に付与される事態を予防し、もって仮会員の仮登録に起因して会員登録が阻害される状況を防止することが可能になる。
【００８１】
また、本実施例１に係る会員管理システム３によれば、「未対応付け会員ＩＤ」として管理しておいた会員カードに対応付けられていない会員ＩＤを仮会員となる遊技客に割付けるように構成したので、仮会員に割付ける会員ＩＤを仮登録時に採番する必要を無くすとともに、仮会員に対する会員ＩＤの割付け形態（例えば、昇順割付け、降順割付けや離散的な割付け）を自在に選択可能とし、もって仮会員に対する会員ＩＤの割付けを効率的に行うことが可能になる。
【実施例２】
【００８２】
ところで、上記した実施例１では、会員カードに対応付けられていない「未対応付け会員ＩＤ」を管理しておき、この「未対応付け会員ＩＤ」を仮会員となる遊技客に割付ける例を説明したが、他の割付け手法を用いて「対応付け済み会員ＩＤ」を割付けることもできる。そこで、本実施例２では、仮会員への加入を希望する遊技客の携帯電話機８０のＩＤｍを仮会員用の会員ＩＤとして割付ける例を示すこととする。
【００８３】
ここで、本実施例２に係る会員管理Ｔ／Ｃ１０は、上記した実施例１のように、会員及び仮会員の両者に対して遊技店により採番された識別子と同体系の識別子を割付けるのではなく、会員に対しては遊技店により採番された「対応付け済み会員ＩＤ」を割付けつつも、仮会員に対しては携帯電話機８０内のＩＣチップ８１に保持されているＩＤｍを割付ける点にその特徴がある。
【００８４】
この仮会員に対する会員ＩＤの割付けを具体的に説明すると、仮会員登録処理部１５ｂは、会員カード処理機７０からＩＤｍを受け付けると、同一のＩＤｍを持つ仮会員同士の重複登録ならびに仮会員と会員の重複登録を防止するとともに、既登録の仮会員又は会員の貯玉更新処理を円滑に行うために、会員管理テーブル１４ａ内のＩＤｍを検索して同一のＩＤｍが登録されているか否かを確認する。そして、当該ＩＤｍが登録されていない場合には、仮会員となる遊技客に対して該ＩＤｍを仮会員用の会員ＩＤとして割付け、該ＩＤｍに対応付けて簡易属性情報を会員管理テーブル１４ａに登録する（図８−１参照）。
【００８５】
このように、本実施例２では、携帯電話機８０内のＩＣチップ８１に保持されているＩＤｍを仮会員となる遊技客に割付けるように構成したので、仮会員と会員の間で異なる体系の識別子を割付けることができ、既に会員カードとの対応付けが行われた会員ＩＤが仮会員に付与される事態を完全に予防し、もって仮会員の仮登録に起因して会員登録が阻害される状況を防止することが可能になる。
【００８６】
なお、本実施例２では、上記した実施例１と同様に会員登録を行うことができるが、ＩＤｍの重複登録を避けるために、仮会員から会員への格上げ登録が行われた場合には、元の仮会員用の会員ＩＤ（ＩＤｍ）を削除する必要がある。
【００８７】
この会員登録について具体的に説明すると、会員登録処理部１５ｃは、会員登録受付端末９０からＩＤｍを受け付けると、同一のＩＤｍを持つ本会員同士の重複登録を防止するために、会員管理テーブル１４ａ内のＩＤｍを検索して同一のＩＤｍが登録されているか否かを確認する。そして、当該ＩＤｍが登録されていない場合には、会員管理テーブル１４ａに登録されている会員ＩＤ（遊技店が採番する会員用の会員ＩＤ）であり、かつ空き番である会員ＩＤを会員となる遊技客に割付けるが、仮会員から会員への格上げ登録である場合には、仮会員時に獲得された貯玉残高及びＩＤｍを引き継ぐために、仮会員用の会員ＩＤ（ＩＤｍ）に対応付けられた会員情報を会員用の会員ＩＤに移行登録してから詳細属性情報を追加登録し、元の仮会員用の会員ＩＤであるＩＤｍを削除する（図８−２）。
【００８８】
例えば、図８−２に示した会員管理テーブル１４ａの例によれば、図８−１に示した仮会員用のＩＤであるＩＤｍ「ＦＥＤＣＢＡ９８７６５４３２１０」を所持する仮会員が会員に格上げ登録されており、仮会員時に獲得した貯玉残高「４００」及びＩＤｍ「ＦＥＤＣＢＡ９８７６５４３２１０」が会員用の会員ＩＤ「００００４」に引き継がれた上で詳細属性情報が追加された会員登録が行われ、その上で元の仮会員用の会員ＩＤであるＩＤｍ「ＦＥＤＣＢＡ９８７６５４３２１０」が削除されている。
【００８９】
なお、上記した実施例１及び２では、本発明をパチンコ遊技に適用する例を説明したが、パチスロ遊技を対象としてさらに含めた場合又はパチスロ遊技のみを対象とした場合にも本発明を同様に適用することができる。
【００９０】
また、上記した実施例１及び２では、会員カード処理機７０にリーダライタ７５を組み込む実施例を説明したが、会員カード処理機７０とリーダライタ７５は別体に構成してもよい。また、会員カード処理機７０を計数機５０または景品管理装置６０と別体に構成することとしたが、計数機５０や景品管理装置６０と会員カード処理機７０を一体として構成してもよい。
【００９１】
なお、上記した実施例１及び２では、会員に対して必ず会員カードを発行する例を説明したが、本発明はこれに限定されるものではなく、会員に対して会員カードを発行しなくとも本発明を適用することができる。かかる場合にも、会員に対して対応付け済み会員ＩＤ（付与済み識別情報）を付与することになる。
【産業上の利用可能性】
【００９２】
以上のように、本発明に係る会員管理システム及び会員管理方法は、会員識別情報を記録した会員用記録媒体が発行されない仮会員と正規な会員を併用する場合に、仮会員の仮登録に起因して会員登録が阻害される状況を防止することができる会員管理システム及び会員管理方法に適している。
【図面の簡単な説明】
【００９３】
【図１】実施例１に係る会員管理システムのシステム構成を示す図である。
【図２】図１に示した会員管理Ｔ／Ｃ及び会員カード処理機の構成を示す機能ブロック図である。
【図３】実施例１で用いる仮会員登録レシートの一例を示す図である。
【図４−１】図２に示した会員管理テーブルの一例を示す図である。
【図４−２】図２に示した会員管理テーブルの一例を示す図である。
【図５】図１に示した会員カード処理機による仮会員登録依頼処理手順を示すフローチャートである。
【図６】図５のステップＳ１０９に示した仮会員による貯玉更新処理を説明するための説明図である。
【図７】実施例１に係る会員登録処理に関する会員管理Ｔ／Ｃ及び会員登録受付端末間の制御シーケンスを示す図である。
【図８−１】実施例２で用いる会員管理テーブルの一例を示す図である。
【図８−２】実施例２で用いる会員管理テーブルの一例を示す図である。
【符号の説明】
【００９４】
３    会員管理システム
１０    会員管理Ｔ／Ｃ
１１    入力部
１２    出力部
１３    ＩＦ部
１４    記憶部
１４ａ    会員管理テーブル
１５    制御部
１５ａ    貯玉管理部
１５ｂ    仮会員登録処理部
１５ｃ    会員登録処理部
２０    島コントローラ
３０    ＣＲユニット
４０    パチンコ機
５０    計数機
６０    景品管理装置
６５    景品払出機
７０    会員カード処理機
７１    タッチパネル
７２    ＩＦ部
７３    カードリーダ
７４    プリンタ
７５    リーダライタ
７６    記憶部
７６ａ    印字内容情報
７７    制御部
７７ａ    仮会員登録依頼処理部
７７ｂ    貯玉更新依頼部
８０    携帯電話機
８１    ＩＣチップ
９０    会員登録受付端末
【図１】
2008206697.tif 000003
【図２】
2008206697.tif 000004
【図３】
2008206697.tif 000005
【図４−１】
2008206697.tif 000006
【図４−２】
2008206697.tif 000007
【図５】
2008206697.tif 000008
【図６】
2008206697.tif 000009
【図７】
2008206697.tif 000010
【図８−１】
2008206697.tif 000011
【図８−２】
2008206697.tif 000012